(57)【特許請求の範囲】
【請求項１】
携帯電話の位置を追跡して監視する位置探索システムであって、
携帯電話の追跡を行う場合に第一の時間間隔毎に追跡コマンドを携帯電話網を経由して当該携帯電話に送信するとともに、携帯電話からの位置情報を携帯電話網を経由して受信することで追跡監視を行う位置管理装置と、
ＧＰＳ衛星からのＧＰＳ信号を受信するＧＰＳ受信部と、前記ＧＰＳ受信部により前記ＧＰＳ信号を受信して位置情報を取得し該位置情報を携帯電話網を経由して前記位置管理装置へ送信することを前記第一の時間間隔より短い第二の時間間隔にて予め定められた回数だけ繰り返すための位置探索用ソフトを含む複数のアプリケーションソフトを記憶する記憶部と、通話時に起動中の前記アプリケーションを強制終了するとともに、前記追跡コマンドを受信すると前記位置探索用ソフトを起動する制御部と、を有する携帯電話と、
を備えたことを特徴とした位置探索システム。
【発明の詳細な説明】
【０００１】
【発明の属する分野】
本発明は、現在位置の取得に使用できるＧＰＳ受信機能を有する汎用的な携帯電話、及び当該携帯電話を使用した位置探索システムに関する。
【０００２】
【従来の技術】
従来、ＧＰＳ機能を搭載した専用の携帯端末を用いて位置探索サービスを提供するシステムが実用化されている。専用の携帯端末は、利用者が位置探索サービスを受けたくない場合を除き、位置探索用のアプリケーションが常時動作可能にセットされている。専用の携帯端末は、探索センターからのコマンドを受信すると、自動的に現在位置を取得して、探索センターに送信する。探索センターでは、受信した位置情報に基づき、携帯端末の位置を確認していた。
したがって、専用の携帯端末を使用した位置探索システムは、原則として、位置探索を行うときに所持者の意思を確認する必要がない。
また、ＧＰＳ機能を搭載した汎用の携帯電話を用いて位置探索サービスを提供する位置探索システムがある。従来の汎用の携帯電話を用いた位置探索システムは、位置探索サービス用のアプリケーションソフトである位置探索ソフトを予め携帯電話に記憶させている。そして、利用者が、携帯電話のメニュー画面から位置探索ソフトを選択して起動させる。位置探索ソフトが動作中においては、他のアプリケーションが動作できない。汎用の携帯電話は、位置探索ソフトが動作中に探索センターからのコマンドを受信すると、自動的に現在位置を取得して、探索センターに送信する。探索センターでは、汎用の携帯電話から受信した位置情報に基づき、現在位置の確認などを行っていた。
【０００３】
【発明が解決しようとする課題】
しかし、従来の専用携帯端末を使用した位置探索サービスでは、利用者が携帯電話と専用携帯端末の両方を所持する必要があり物理的に不便な場合があった。特に、最近は、一般にＧＰＳ機能を有する携帯電話も普及しつつあり、不便に感じることが増加しつつある。
また、位置探索サービスの専用携帯端末は、探索センターとの通信に携帯電話網を使用している。このため、専用の携帯端末と携帯電話との両方に携帯電話の通信端末としての登録が必要となり、利用者の経済的負担も大きかった。
他方、従来の汎用携帯電話を利用した位置探索システムは、汎用携帯電話を携行するのみで、位置探索サービスを受けることができる。しかし、汎用携帯電話では、通話や他のアプリケーション等を起動すると、位置探索サービス用のアプリケーションが終了する。携帯電話は、通話を基本としているため、通話操作や終話操作がされると、全てのアプリケーションを強制的に終了させるので、当然位置探索用のアプリケーションも終了するからである。
このため、従来の汎用携帯電話を用いた位置探索サービスは、位置探索ソフトが動作中、即ち利用者が位置探索ソフトの起動操作をし、通話や他のアプリケーションを起動させない場合にのみ利用できるにすぎない。したがって、汎用携帯電話を用いた位置探索サービスは、利用者が能動的な操作をし、サービスの提供を受けていることを認識している最中に限ったサービス、即ち利用者が自ら汎用携帯電話を操作できる状況を前提にしたサービスの提供に限定されていた。
ところが、位置探索サービスは、徘徊老人、子供、急病状態などの汎用携帯電話を操作できない人を遠隔地から探索する必要がある。かかる位置探索サービスは、利用者の操作と認識が前提となる汎用携帯電話を使用して実現することが困難であるという課題があった。
そこで、本発明は、汎用携帯電話を使用して、利用者が汎用携帯電話を操作できない状態であっても、探索センターから汎用携帯電話の位置を探索できることを目的とする。
【０００４】
【課題を解決するための手段】
【０００５】
かかる課題を解決するために本発明は、携帯電話の位置を追跡して監視する位置探索システムであって、携帯電話の追跡を行う場合に第一の時間間隔毎に追跡コマンドを携帯電話網を経由して当該携帯電話に送信するとともに、携帯電話からの位置情報を携帯電話網を経由して受信することで追跡監視を行う位置管理装置と、ＧＰＳ衛星からのＧＰＳ信号を受信するＧＰＳ受信部と、ＧＰＳ受信部によりＧＰＳ信号を受信して位置情報を取得し該位置情報を携帯電話網を経由して位置管理装置へ送信することを第一の時間間隔より短い第二の時間間隔にて予め定められた回数だけ繰り返すための位置探索用ソフトを含む複数のアプリケーションソフトを記憶する記憶部と、通話時に起動中のアプリケーションを強制終了するとともに、追跡コマンドを受信すると位置探索用ソフトを起動する制御部と、を有する携帯電話と、を備えたことを特徴とした位置探索システムを提供する。かかる構成によれば、汎用携帯電話の追跡をする際に、比較的長時間となる第一の時間間隔にて汎用携帯電話の位置探索用ソフトを強制起動させるので、追跡中に利用者が終話操作等を誤って行っても、第一の時間間隔にて位置探索用ソフトが再起動する。これにより、汎用携帯電話を使用しても確実に追跡が可能となる。また、汎用携帯電話からの位置情報の送信を、第一の時間間隔より短い第二の時間間隔にて送信させるので、位置管理装置からの追跡コマンドの送信回数を減らすことが可能となる。なお、第二の時間間隔及び送信回数は、位置探索用ソフトに予め設定しておいても良いし、追跡コマンドに含ませておいても良い。
【０００６】
【発明の実施の形態】
以下、本発明を適用した実施の形態を図を用いて、詳細に説明する。
図１は、本発明にかかる携帯電話及び位置探索システムが適用される位置探索システムの全体システム構成図である。位置探索システムは、携帯電話１と、位置提供会社設備２と、携帯電話会社設備３と、パソコン６と、ＧＰＳ衛星７と、携帯電話網８と、インターネット９とから構成されている。
携帯電話網８には、無線信号の送受信を行うとともに無線／有線信号を変換し交換網と送受信する基地局８１が設置されている。
携帯電話会社設備３は、オフィシャルサーバー３１、測位サーバー３２、ＳＭＳサーバー３３、コンテンツサーバー３４が少なくとも設けられている。また、携帯電話会社設備３は、携帯電話網８に接続され、図示していないゲートウエイサーバーによって、インターネット９、位置提供会社設備２、各サーバーとゲートウエイされる。
オフィシャルサーバー３１は、携帯電話１にて使用する各種コンテンツのＪＡＶＡによるアプリケーションソフトを携帯電話１にダウンロードするサーバーである。
測位サーバー３２は、携帯電話１の信号を受信した基地局８１の基地局位置情報、携帯電話１が受信したＧＰＳ信号などに基づき、携帯電話１の現在位置を緯度・経度の位置情報として算出し、携帯電話１に送信するサーバーである。
ＳＭＳサーバー３３は、位置提供会社設備２から位置探索コマンド、追跡コマンド又はブザーコマンドであるショートメッセージの送信要求を受けると、携帯電話１にショートメッセージを送信するサーバーである。なお、位置探索サービスに使用するショートメッセージには、位置探索サービスのメッセージであることを識別できるサービス識別コードが付加されている。なお、各コマンドについては、後述する。
コンテンツサーバー３４は、携帯電話１をインターネット９に接続するＷｅｂサーバーとしての機能を有し、予め携帯電話１に対して利用可能なコンテンツをメニュー表示させるなどを担当している。
次に、位置提供会社設備２は、位置情報管理サーバ２１と位置情報提供サーバー２２にて構成される。
位置情報管理サーバー２１は、位置探索サービスを利用可能な携帯電話１を登録する機能、登録された契約情報の記憶更新等の管理、携帯電話１を識別するＩＤコード、サービスの利用料金の課金管理等を行うサーバーである。
位置情報提供サーバー２２は、インターネット９に接続されるＷｅｂサーバーであって、探索要請等をパソコン６からインターネット９経由で受けると、ＳＭＳサーバー３３にショートメッセージの送信を要求し、ＳＭＳサーバー３３から探索コマンドを含んだショートメッセージを該当する携帯電話１に送信させる。また、位置情報提供サーバー２２は、携帯電話会社設備３を経由して、携帯電話１から位置情報を受信すると、インターネット９を介してパソコン６に位置情報を提供する。なお、パソコン６からのアクセスが位置探索サービスを受ける資格を有する者か否かの認証は、位置情報管理サーバー２１とのリンクにより、ＩＤ等の照合にて実現している。また、位置情報提供サーバー２２には、図示していないが位置探索サービスを提供する監視員が使用するディスプレイ及び操作用のキーボードが接続されている。監視員は、契約者からの電話による位置探索依頼を受けるとキーボードを操作する。前述のパソコン６による場合と同様な処理によって、ディスプレイに携帯電話１の位置情報表示される。監視員は、ディスプレイに表示された携帯電話１の位置情報を契約者に電話にて回答する。
なお、インターネット９には、一般コンテンツサーバー５が接続されている。携帯電話１は、コンテンツサーバー３４を介してインターネット９に接続し、一般コンテンツサーバー５にアクセスすることにより有料／無料の各種サービスを受けることができる。
【０００７】
次に、図２及び図３を参照して、携帯電話１の構成を説明する。図２は、携帯電話１の概念ブロックを示す図である。携帯電話１は、ＧＰＳ信号及び基地局８１との各種信号など無線信号を受信する空中線に接続されるＲＦ部１０１と、ＲＦ部１０１を経由してＧＰＳ衛星７が送信しているＧＰＳ信号を受信するＧＰＳ受信部１０２と、ＲＦ部１０１を経由して携帯電話網８の基地局８１と無線信号を送受信する送受信部１０３と、携帯電話１の利用者が各種の操作入力をする操作部１０４と、携帯電話１の動作を制御するための各種アプリケーション、オペレーションシステム、ユーザー登録データ等を記憶するＲＯＭ・ＲＡＭ等からなる記憶部１０５と、携帯電話１の状態や操作ガイダンス等を表示する液晶ディスプレイである表示部１０６と、音声通話音や救急音等を発生させるスピーカ１０７と、音声を集音するためのマイク１０８、各部に電源を供給する電池１０９、及びこれらを制御するＣＰＵである制御部１００から構成されている。
【０００８】
図３は、記憶部１０５の記憶領域を模式的に示した図である。記憶部１０５は、アプリケーション領域Ａ、ユーザーデータ領域Ｂ、システム領域Ｃ、及びワーク領域Ｄから主に構成されている。
アプリケーション領域Ａは、位置探索ソフトが少なくとも記憶されており、その他に利用者が登録したコンテンツソフトやアプリケーションソフトが格納されている。
ユーザーデータ領域Ｂは、ショートメッセージサービスにて受信したショートメッセージ等のＳＭＳデータ、利用者が予め頻繁に電話をかける相手の電話番号等の連絡先データ、利用者が登録したコンテンツのＵＲＬ情報等が格納される。
システム領域Ｃは、携帯電話１のオペレーティングシステム、携帯電話としての基本機能を実現するネイティブアプリケーション、電話番号/型番等の各種設定データが格納されている。
その他、ワーク領域Ｄは、種々のアプリケーション等を動作する際に、使用する領域である。
【０００９】
次に、図４〜図６を参照して、携帯電話１における動作を説明する。
先ず、図４を参照して、通話の着信があったときの携帯電話１における動作について説明する。図４における処理は、携帯電話１のシステム領域に予め標準的に用意されているネイティブアプリケーションの処理であり、制御部１００にて実行される。
携帯電話１は、携帯電話網８の基地局８１からの通話呼出信号をＲＦ部１０１経由して送受信部１０３にて着信すると以下の処理を実行する。先ず、Ｓ４０１は、携帯電話１にてアプリケーションが起動中か否かを判定する。即ち、図３に示すアプリケーション領域Ａに記憶されている各種アプリケーションが起動されているか判定する。ここで、起動中であれば、起動中のアプリケーションを強制的に終了させ（Ｓ４０２）、起動中でなければそのままスピーカー１０７から呼出音を鳴動させる（Ｓ４０３）。なお、ここで、アプリケーションには、位置探索ソフトも含まれており、携帯電話１としての基本機能である通話着信の処理が最優先される。Ｓ４０４では、利用者による操作部１０４での受話操作があるのを待ち合わせて、受話操作があれば通話処理がなされる（Ｓ４０５）。通話が終了し、利用者が操作部１０４を操作すると、再度アプリケーションが動作中か否か判定し（Ｓ４０７）、動作中であれば動作中のアプリケーションを終了させて（Ｓ４０８）通話着信の処理を終了する。ここで、終話操作があると、アプリケーションを強制的に終了させるのは、携帯電話１においては終話操作が全ての処理を終了させる操作として定義されているからである。
なお、図４は、通話着信の動作を例に説明したが、通話発信の場合もアプリケーションの動作を一度終了させている。通話発信の場合も、一般的な携帯電話１にて採用されているので、ここでは説明を省略する。
【００１０】
次に、図５及び図６を参照して、位置探索ソフトの処理を説明する。位置探索ソフトは、携帯電話１の記憶部１０５におけるアプリケーション領域Ａに記憶されている。位置探索ソフトの起動条件には、ＳＭＳサーバー３３から送信される位置探索ソフトへのコマンドを受信したこと、及び利用者が操作部１０４にて救急操作をしたことである。なお、図５及び図６における処理は、携帯電話１の制御部１００にて実行される。
図５は、携帯電話１がＲＦ部１０１から送受信部１０３にてＳＭＳサーバー３３からのショートメッセージを受信した場合の処理フローである。
同図において、携帯電話１は、ショートメッセージを受信すると、位置探索用ソフトへのメッセージか否か判定する（Ｓ５０１）。ショートメッセージには、サービス識別コードが含まれているので、かかるサービス識別コードが位置探索サービスと一致するか否かにて判定する。位置探索用ソフトへのメッセージであれば位置探索ソフトを起動する（Ｓ５０２）。他方、位置探索ソフト用のメッセージでなければ、当該メッセージを記憶部１０５のユーザーデータ領域ＢにおけるＳＭＳデータとして記録するとともに、表示部１０６に受信した旨の表示を行う（Ｓ５３０）。したがって、位置探索ソフトは、携帯電話１を何ら操作がされることなく起動するのである。
位置探索ソフトが起動すると、受信したショートメッセージを解析する。本実施の形態では、ＳＭＳサーバー３３から位置探索用ソフトへのメッセージとしては、追跡コマンド、探索コマンド、及びブザーコマンドの３種類がある。
追跡コマンドとは、位置情報提供サーバー２２にて携帯電話1の位置を継続監視するためのコマンドである。即ち、携帯電話１から救急信号を受信した場合や移動中の徘徊老人を保護する場合など携帯電話１の位置を定期的に位置情報提供サーバー２２にて取得する必要がある場合に使用する。
探索コマンドは、携帯電話１の現在位置をパソコン６の利用者へ提供する場合など、携帯電話１の現在位置を一度送信させるためのコマンドである。
ブザーコマンドは、携帯電話１のスピーカー１０７からブザー音を鳴動させるためのコマンドである。即ち、徘徊老人等の携帯電話１の利用者を保護する際に、本人を特定したい場合に送出される。
さて、Ｓ５０３において、追跡コマンドを受信したと解析されれば、位置情報の送信回数をカウントするカウンタＡを０にセットする（Ｓ５０４）。その後、位置取得処理Ｓ５０５を実行する。位置取得処理５０５は、ＧＰＳ受信部１０２からＧＰＳ衛星７が常時送信しているＧＰＳ信号を受信する。受信したＧＰＳ信号を送受信部１０３から測位サーバー３２に携帯電話網８を経由して送信し、測位サーバー３２にて種々の補正を行って算出された精度の高い位置情報を送受信部１０３から受信する。なお、位置取得の方法は、これに限られるものでなく、携帯電話１にてＧＰＳ信号から直接算出しても良いし、携帯電話網８の基地局８１の位置情報を携帯電話１から測位サーバー３２へ送信するなど如何なる方法にて取得しても良い。
取得した位置情報は、送受信部１０３から携帯電話網８・携帯電話会社設備３を介して位置情報提供サーバー２２へ送信する（Ｓ５０５）。  そして、カウンタＡを１カウントアップする（Ｓ５０７）。６０秒間のインターバル後に（Ｓ５０８）にカウンタＡが「９」を越えるか否か判断する（Ｓ５０９）。カウンタＡが「９」とは、追跡コマンドを受信した後に位置情報の送信を９回したか否か判断している。即ち、９回の送信が終了すると、追跡コマンドを受信して起動した位置探索ソフトを終了し（Ｓ５４０）、ショートメッセージの処理が終了する。本実施の形態では、Ｓ５０９において、「９」回の送信にて終了させることを予め位置探索ソフトに設定されているが、ショートメッセージに設定すべき回数を付加し、位置情報提供サーバー２２にて任意に設定可能にしても良い。なお、追跡コマンドは、位置情報提供サーバー２２から１０分に１回ＳＭＳサーバー３３から送信される。これによって、位置探索ソフトが追跡コマンドを受信した動作中、即ちＳ５０４〜Ｓ５０９の処理中に、通話着信時の処理など（図４のＳ４０２、Ｓ４０８）により強制的に終了しても、追跡コマンドが送信されて位置探索ソフトが起動するので、少々の時間的な遅れが生じるものの追跡が可能となる。また、カウンタＡを用いることにより、ＳＭＳサーバー３３からショートメッセージの送信回数を低減できるので、通信トラフィックの低減が図られる。
Ｓ５０３にて探索コマンドであると解析されると、Ｓ５０５と同様に位置取得処理（Ｓ５１０）を行い、位置情報提供サーバー２２へ位置情報を送信する（Ｓ５１１）。そして、Ｓ５０４にて位置探索ソフトを終了し、探索コマンドの処理を終了する。
Ｓ５０３にてブザーコマンドであると解析されると、Ｓ５２０にてブザー鳴動処理を行う。即ち、スピーカー１０７からブザー音を６０秒間継続（Ｓ５２１）して発するように制御する。その後、Ｓ５４０に進み位置探索ソフトの終了処理し、ブザーコマンドに対する処理を終了する。
【００１１】
次に、携帯電話１の利用者が、救急操作をした場合について説明する。図６は、携帯電話１の操作部１０４において、所定の救急操作がされた場合の動作フローを示す。所定の救急操作とは、限られた携帯電話１の操作部１０４を用いて行われるもので、特定のボタンを２秒程度押した後に、再度同一のボタンを押すことによって行われる。
救急操作がされると、位置探索ソフトが起動し（Ｓ６０１）、音量を最大になるように制御をして、ブザーを鳴動させる（Ｓ６０２）。音量を最大に制御することにより、周囲の人に救急事態が発生したことを知らせ、何らかの救助を求めることが可能となる。次いで、図５における位置取得処理（Ｓ５０５、５１０）と同様に位置取得処理を実行する（Ｓ６０３）。そして、救急信号及び位置情報を位置情報提供サーバー２２に送信する（Ｓ６０４）。そして、６０秒間ブザーの鳴動を継続させた後（Ｓ６０５）、位置探索ソフトを終了させ（Ｓ６０６）、救急操作に対する処理を終了する。
【００１２】
次に、携帯電話１からインターネット９を経由して、インターネット９上にて提供される一般コンテンツへのアクセス動作について図１０を参照して説明する。図１０は、携帯電話１、携帯電話会社設備３、及び一般コンテンツサーバー５との間における一般コンテンツへのアクセスまでのチャートを示している。
同図において、先ず、利用者は、携帯電話１の表示部１０６を見ながら操作部１０４を操作し、コンテンツサーバー３４にアクセスする。このとき、コンテンツサーバー３４は、インターネットサービスを受ける資格を有する者のアクセスか否かを確認するため、本人識別用のＩＤを要求する。ＩＤ要求を受けた携帯電話１では、表示部１０４にＩＤ入力の画面が表示される。利用者が、要求画面にしたがって、操作部１０４からＩＤを入力すると、コンテンツサーバー３４にて予め登録されている登録データとの認証を行ない認証結果を携帯電話１に表示させる。この際、正当な利用者であると確認できれば、利用可能なコンテンツのメニューが表示部１０６に表示される。そして、利用者は、携帯電話１の操作部１０４にて利用したいコンテンツを選択し、コンテンツサーバー３４を介してインターネット９から一般コンテンツサーバー５に接続される。これにより、一般コンテンツサーバーでの所望のサービスを受けることとなる。なお、利用するコンテンツ用のアプリケーションが必要な場合は、携帯電話１の記憶部１０５におけるアプリケーション領域Ａに格納されているコンテンツソフトを起動させることとなる。
他方、正当な利用者でないとの結果の場合は、その旨を表示させるとともに再度のＩＤ入力を促す。
【００１３】
次に、位置探索システムの全体動作について、図７〜図９を参照して説明する。先ず、図７を参照して、探索依頼者がパソコン６から携帯電話１の現在位置を探索する動作を説明する。
位置探索サービスの契約者がパソコン６を操作し、インターネット９経由で位置情報提供サーバー２２にて提供しているＨＰにアクセスする。そして、位置探索サービスを利用できる資格を有するかの認証のために、位置情報提供サーバー２２からＩＤ入力を要求する。契約者は、パソコン６の表示にしたがってＩＤを入力する。位置情報提供サーバー２２は、位置情報管理サーバー２１に登録されている契約者データを参照して、入力されたＩＤの認証処理を行う。そして、認証結果をパソコン６に送出する。ここで、認証が正しくできない場合は、再度ＩＤを要求するなどの表示を行う。認証が正しく行えると、契約者はパソコンから探索要求を入力する。かかる探索要求を位置情報提供サーバー２２が受けると、位置情報管理サーバー２１を経由し携帯電話会社設備３であるＳＭＳサーバー３３に対して、探索コマンドの送信命令を送出する。ここで、探索コマンドの送信命令は、探索コマンドを送信すべきＩＤ認証時に特定した携帯電話１への送信命令である。かかる命令を受信したＳＭＳサーバー３３は、携帯電話網８から探索要求のあった携帯電話１に、探索コマンドを含んだショートメッセージを送信する。
探索コマンドを受信した携帯電話１は、図５にて説明したショートメッセージの受信処理を実行する。具体的には、Ｓ５０１、Ｓ５０２、Ｓ５０３、Ｓ５１０、Ｓ５１１、Ｓ５４０の各処理を実行する。そして、位置情報管理サーバー２１は、位置情報を受信すると、課金処理等を行う。また、位置情報提供サーバー２２は、位置情報を受信すると、パソコン６に対して位置情報をインターネット９経由にて提供する。  これにより、契約者は、インターネットに接続可能なパソコン６を用いて、何時でも携帯電話１の現在位置、即ち携帯電話１の所持者の現在位置を知ることができる。なお、かかる位置探索は、パソコン６を用いないでも電話を使用し、位置情報提供会社の監視員に電話連絡し、契約者であることの確認がとれれば、位置情報提供サーバー２２にキーボード入力して探索コマンドの送信を行い、返信される位置情報をディスプレイ表示されたものを電話にて伝えることも可能である。
【００１４】
次に、図９を参照して、携帯電話１から救急信号を発信する場合について説明する。図６にて説明したように救急操作がされると、携帯電話１から救急信号及び位置情報が位置情報管理サーバー２１、位置情報提供サーバー２２に送信される。これらを受信すると、位置情報提供サーバー２１では、監視員が常時見ているディスプレイに救急事態の発生表示と、その位置情報が表示される。監視員は、この表示を見ると、救急対処を行う。即ち、先ず該当する携帯電話１に対して、状況確認のための電話連絡を行う。監視員は、電話連絡にて確認できた状況に応じて、救急車の手配等の表示されている場所への対応を行う。なお、電話連絡が取れない場合であっても、携帯電話１の場所に対して対処員を緊急派遣がなされる。この際に、監視員が、追跡事案の発生と判断すれば、図８に示す処理を並行して行う。
【００１５】
図８を参照すると、追跡処理は、監視員が位置情報提供サーバー２２に追跡コマンドの送信要求を行う。位置情報提供サーバー２２からショートメッセージが位置情報管理サーバー２１経由で送信される。ＳＭＳサーバー３３では、携帯電話１に対して追跡コマンドを含むショートメッセージを送信する。
携帯電話１では、かかるショートメッセージを受信すると、図５にて説明したショートメッセージの受信処理を実行する。即ち、Ｓ５０１、Ｓ５０２、Ｓ５０３、Ｓ５０４、Ｓ５０５、Ｓ５０６、Ｓ５０７、Ｓ５０８、Ｓ５０９、Ｓ５４０の各処理を実行する。そして、追跡コマンドの送信要求は、１０分毎に送信される。かかる１０分ごとに送信することにより、携帯電話１にて終話操作がされた場合や通話着信があって位置探索用ソフトが強制的に終了されても、追跡が可能となる。なお、位置情報管理サーバー２１では、救急信号等を受信すると、課金処理等を実行する。
【００１６】
【発明の効果】
以上詳細に説明したように、本発明は、汎用携帯電話を使用して、利用者が汎用携帯電話を操作できない状態であっても、探索センターから汎用携帯電話の位置を探索できるようになる。
【図面の簡単な説明】
【図１】本発明の実施の形態にかかる全体システム構成を示す図である。
【図２】 本発明の実施の形態にかかる携帯電話１の構成ブロックを示す図である。
【図３】本発明の実施の形態にかかる携帯電話１の記憶部１０５の詳細を示す図である。
【図４】本発明の実施の形態にかかる携帯電話１の通話着信時の動作フローを示す図である。
【図５】本発明の実施の形態にかかる携帯電話１のショートメッセージ受信時の動作フローを示す図である。
【図６】本発明の実施の形態にかかる携帯電話１の救急操作時の動作フローを示す図である。
【図７】本発明の実施の形態にかかる位置探索システムのパソコンからの探索動作チャートを示す図である。
【図８】本発明の実施の形態にかかる位置探索システムの追跡処理の動作チャートを示す図である。
【図９】本発明の実施の形態にかかる位置探索システムの救急操作時の動作チャートを示す図である。
【図１０】携帯電話を用いた一般コンテンツへのアクセス処理のチャートを示す図である。
【符号の説明】
1…携帯電話、２…位置提供会社設備、３…携帯電話会社設備、５…一般コンテンツサーバー、６…パソコン、７…ＧＰＳ衛星、８…携帯電話網、９…インターネット
【図１】
0003746704.tif 000002
【図２】
0003746704.tif 000003
【図３】
0003746704.tif 000004
【図４】
0003746704.tif 000005
【図５】
0003746704.tif 000006
【図６】
0003746704.tif 000007
【図７】
0003746704.tif 000008
【図８】
0003746704.tif 000009
【図９】
0003746704.tif 000010
【図１０】
0003746704.tif 000011